(57)【特許請求の範囲】
【請求項１】
両者間に軸線方向にボルトを載せ受けられるように、ベース上に互いに平行に水平に軸支され、夫々モータに連動して軸回りに回転する一対の円筒状の定置ブラシと、
前記一対の定置ブラシ間に載せられたボルトに対してベース上に進退移動可能に設けられ、前記モータに連動して軸回りに回転してボルトを磨く円筒状の押圧ブラシとを具備するボルト磨き装置において、
前記押圧ブラシは、前記定置ブラシの上方で前記ベース上に一端側が枢支された垂直方向に揺動自在の揺動枠に、定置ブラシと平行に軸支されて、前記一対の定置ブラシ間に載せられたボルト上へ下降可能に設けられ、
前記揺動枠には、これを手動で揺動させるためのハンドルを有し、
このハンドルの握り位置の近傍には、前記ブラシの駆動用モータを制御するスイッチが設けられていることを具備することを特徴とするボルト磨き装置。
【請求項２】
前記ベース上には、前記ハンドルに当接してその下死点を定めるストッパが上下位置を調節可能に設けられていることを特徴とする請求項１に記載のボルト磨き装置。
【請求項３】
両者間に軸線方向にボルトを載せ受けられるように、ベース上に互いに平行に水平に軸支され、夫々モータに連動して軸回りに回転する一対の円筒状の定置ブラシと、
前記一対の定置ブラシ間に載せられたボルトに対してベース上に進退移動可能に設けられ、前記モータに連動して軸回りに回転してボルトを磨く円筒状の押圧ブラシとを具備するボルト磨き装置において、
前記押圧ブラシは、前記定置ブラシの上方で前記ベース上に一端側が枢支された垂直方向に揺動自在の揺動枠に、定置ブラシと平行に軸支されて、前記一対の定置ブラシ間に載せられたボルト上へ所定の接触圧力を持って下降可能に設けられ、
前記一対の定置ブラシの軸線方向の一端側の側方に、定置ブラシ間に載せられたボルトの一端側を載せ受けて支持するためのボルト受台が、定置ブラシの軸線方向に移動自在に設けられていることを特徴とするボルト磨き装置。
【請求項４】
前記ボルト受台が、前記定置ブラシを支持する軸受台を水平に軸線方向に移動自在に貫通する支持アームで支持されていることを特徴とする請求項３に記載のボルト磨き装置。
【発明の詳細な説明】
【０００１】
【発明の属する技術分野】
本発明は、装着前にボルトを研磨し、錆落としするための装置である。有頭、無頭何れのボルトにも対応可能で、主として片手で持ち上げられる程度で、比較的大型のボルトを対象にする。
【０００２】
【従来の技術】
目的を同じにするボルト研磨装置が市販されている。大上へボルトを回転自在に定置し、それと平行な軸上に設けた回転ブラシを軸線方向に進退させ、回転ブラシの回転により、ボルトを共回りさせるようにしたものである。ボルトを１本ずつ台状に装着せねばならないこと、共回りが必ずしも円滑に行われないこと等が難点となって、大型歯ブラシ状のものを用いる手作業が今も主流を占めている。
【０００３】
【発明が解決しようとする課題】
従って、本発明は、面倒な装着作業を必要とせず、また作業性の良好なボルト磨き装置を提供することを課題とする。
【０００４】
【課題を解決するための手段】
本発明においては、上記課題を解決するため、ベース１上に互いに平行に水平に一対の円筒状の定置ブラシ３ａ，４ａを軸支し、両者間に軸線方向にボルトＢを載せ受けて、夫々モータ６で軸回りに回転可能にし、揺動枠１７の一端側を水平軸２０でベース１上に枢支して、定置ブラシ３ａ，４ａの上方で垂直方向に揺動自在にし、円筒状の押圧ブラシ２２ａを定置ブラシ３ａ，４ａと平行に揺動枠１７に軸支して、モータ６で軸回りに回転可能にし、一対の定置ブラシ３ａ，４ａ間に載せられたボルトＢ上へ下降させるようにし、揺動枠１７には、これを手動で揺動させるためのハンドル２１を設け、ハンドル２１にはブラシの駆動用モータ６を制御するためのスイッチ２４を設けた。
【０００５】
【発明の実施の形態】
図面を参照して本発明の実施の形態を説明する。図１はボルト磨き装置の正面図、図２はボルト磨き装置の側面図、図３はボルト磨き装置の平面図、図４はボルト磨き装置の伝動機構の説明図である。
【０００６】
ベース１上に直立した一対の軸受板２に、中心軸３，４が互いに平行に、かつ回転自在に支持されている。中心軸３，４には、夫々定置ブラシ３ａ，４ａが固着されている。定置ブラシ３ａ，４ａは、円筒へ適当なリード角で螺旋状に植毛したもので、両者はリード方向を同じにする。中心軸３の一端にはプーリ３ｂが、また中心軸４の両端にはプーリ４ｂ，４ｃが夫々固着されている。ベース１に設けられたスタンド５の下部にはモータ６が、また上部にはギアボックス７が夫々定置されている。モータ６の軸端には、プーリ６ａが、またギアボックス７の入力軸８端には、プーリ８ａが、夫々固着され、両プーリ６ａ，８ａ間には、ベルト９が掛けられている。ギアボックス７の入力軸８と直交する出力軸１０の両端には、プーリ１０ａ，１０ｂが固着されている。プーリ１０ａの下方に位置して、ベース１上に、ブラケットで回転軸１１が軸支され、これにプーリ１１ａ，１１ｂが固着されている。プーリ１０ａとプーリ１１ａとの間にはベルト１２が、またプーリ１１ｂとプーリ４ｃとの間にはベルト１３が夫々掛けられている。従って、定置ブラシ４ａには、モータ６から、プーリ６ａ、ベルト９、プーリ８ａ、軸８、ギアボックス７、軸１０、プーリ１０ａ、ベルト１２、プーリ１１ａ、回転軸１１、プーリ１１ｂ、ベルト１３、プーリ４ｃ、中心軸４を順次介して回転が伝えられる。また、軸受板２には、中心軸３，４の中間部の下方に位置して、これと平行に、伝動軸１４が回転自在に支持されており、その両端にプーリ１４ａ，１４ｂが固着されている。そして、プーリ１４ａとプーリ４ｂとの間にはベルト１５が、またプーリ１４ｂとプーリ３ｂとの間にはベルト１６が、夫々掛けられている。従って、定置ブラシ３ａには、中心軸４から、プーリ４ｂ、ベルト１５、プーリ１４ａ、伝動軸１４、プーリ１４ｂ、ベルト１６、プーリ３ｂ、中心軸３を順次介して回転が伝えられる。しかして、定置ブラシ３ａ，４ａは、互いに同一方向に回転する。
【０００７】
揺動枠１７の本体１８はコ字状で、基端側が、スタンド５の上部のブラケット１９に水平軸２０で枢支され、定置ブラシ３ａ，４ａの上方で垂直方向に揺動自在である。揺動枠１７には、これを手動で上下に揺動させるためのハンドル２１を備えている。揺動枠１７には、中心軸４と平行に、中心軸２２が軸支されている。中心軸２２には、押圧ブラシ２２ａとプーリ２２ｂが固着されている。押圧ブラシ２２ａは、一対の定置ブラシ３ａ，４ａ間に載せられたボルトＢ上へ下降できるように、定置ブラシ３ａ，４ａ間の上方に臨まされている。プーリ２２ｂとプーリ１０ｂとの間にはベルト２３が掛けられている。従って、押圧ブラシ２２ａには、モータ６から、プーリ６ａ、ベルト９、プーリ８ａ、軸８、ギアボックス７、軸１０、プーリ１０ｂ、ベルト２３、プーリ２２ｂ、回転軸２２を順次介して回転が伝えられる。ハンドル２１には、モータ６を制御するためのスイッチレバー２４が取り付けられている。
【０００８】
ベース１には、ハンドル２１の下方に位置してガイドスタンド２５が立設されている。ガイドスタンド２５は、両者間にハンドル２１を移動自在に挾む平行一対のガイド板２６と、ハンドル２１に当接してその下死点を規制するストッパ２７とを有する。ストッパ２７は、ガイド板２６の上下方向の長孔２６ａに上下移動自在に両端部が挿入された当接杆２７ａと、当接杆２７ａの下部から延出してガイド板２６の間で上下に伸びるねじ棒２７ｂと、このねじ棒２７ｂに螺合して、ガイド板２６に回転自在に保持された調整ナット２７ｃとを具備する。調整ナット２７ｃの正逆回転により、ねじ棒２７ｂを昇降させて当接杆２７ａの上下位置を定める。ハンドル２１には、リミットスイッチLSWが取り付けられている。リミットスイッチLSWは、モータ６と電源との間に、スイッチレバー２４の接点と直列に介設されており、ハンドル２１が立ち上がった状態において接点を開いており、ハンドル２１が当接杆２７ａに当接するときに接点を閉じ、この状態でスイッチレバー２４が握られたときにモータ６が始動するようになっている。
【０００９】
ボルト受台２８は、研磨対象であるボルトＢの端部を載せ受けて支持するためのもので、ボルトＢの長さに応じて側方への延出長さを調整可能に軸受板２に移動自在に設けられている。ボルト受台２８は、ボルトＢを定置ブラシ３ａ，４ａ間に配置するためのＶ字状の受入れ凹所２８ｂを上部に有する支持板２８ａと、この支持板２８ａから延出して、中心軸３，４と平行に軸線方向摺動自在に軸受板２を貫通した一対の支持アーム２８ｃを有する。
【００１０】
ボルトＢの研磨作業に先立って、その長さに応じてボルト受台２８の延出位置を定め、またその直径に応じてストッパ２７の高さ位置を定める。研磨作業を行う場合には、揺動枠１７を引き上げて、ボルトＢを定置ブラシ３ａ，４ａ間に配置する。ボルトＢが転倒しないように、外側の端部をボルト受台２８上に載せて支持する。ハンドル２１を握って揺動枠１７を押し降ろし、押圧ブラシ２２ａをボルトＢに当てて、手元のスイッチレバー２４を握りながら、ハンドル２１をストッパ２７に当接させる。リミットスイッチLSWが接点を閉じ、モータ６が始動する。これでボルトＢに対して適当な接触圧力をかけながら研磨することができる。２つの定置ブラシ３ａ，４ａは、ボルトＢを回転させながら軸方向に送りこむ。この間、定置ブラシ３ａ，４ａ及び押圧ブラシ２２ａによって、ボルトＢの研磨が行われる。ブラシ３ａ，４ａ，２２ａの回転により、ハンドル２１が反力を受けて跳ね上げられる場合には、リミットスイッチLSWが接点を開いてモータを停止させ危険を防止する。
【００１１】
【発明の効果】
以上のように、本発明においては、ベース１上に互いに平行に水平に一対の円筒状の定置ブラシ３ａ，４ａを軸支し、両者間に軸線方向にボルトＢを載せ受けて、夫々モータ６で軸回りに回転可能にし、揺動枠１７の一端側を水平軸２０でベース１上に枢支して、定置ブラシ３ａ，４ａの上方で垂直方向に揺動自在にし、円筒状の押圧ブラシ２２ａを定置ブラシ３ａ，４ａと平行に揺動枠１７に軸支して、モータ６で軸回りに回転可能にし、一対の定置ブラシ３ａ，４ａ間に載せられたボルトＢ上へ下降させるようにし、揺動枠１７には、これを手動で揺動させるためのハンドル２１を設け、このハンドル２１には、モータ６を制御するためのスイッチ２４を取り付けたため、面倒なボルトの装着作業を必要とせず、また作業性の良好なボルト磨き装置を提供することができる。
【図面の簡単な説明】
【図１】ボルト磨き装置の正面図である。
【図２】ボルト磨き装置の側面図である。
【図３】ボルト磨き装置の平面図
【図４】ボルト磨き装置の伝動機構の説明図である。
【符号の説明】
１      ベース
３ａ    定置ブラシ
４ａ    定置ブラシ
６      モータ
１７    揺動枠
２１    ハンドル
２２ａ  押圧ブラシ
２４    スイッチ
【図１】
0003685414.tif 000002
【図２】
0003685414.tif 000003
【図３】
0003685414.tif 000004
【図４】
0003685414.tif 000005